(57)【要約】【課題】  無線ローカルエリアネットワーク（ＷＬＡＮ）環境で動作し、ＵＭＴＳへのアクセスを求めるユニバーサル移動通信システム（ＵＭＴＳ）の移動局（ＵＥ）などの加入者は、ＵＭＴＳシステムへのアクセスに相当のコストがかかるエリアでＵＭＴＳにアクセスする際に、大幅な費用の増加を被る可能性がある。そのような多大な費用負担することなくＵＭＴＳにアクセスするための、より低費用の代替方法を提供する。【解決手段】  無線遠隔端末（ＵＥ）が無線ローカルエリアネットワーク（ＷＬＡＮ）を通じてユニバーサル移動通信システム（ＵＭＴＳ）にアクセスすることを可能にする方法。ＵＭＴＳサービスが、ＵＭＴＳ送受信機からフォーマット変換器に送信され、フォーマット変換器は、受信したメッセージのフォーマットをＷＬＡＮフォーマットに変更してから、ＷＬＡＮモードで動作するＵＥに送信する。【選択図】    図１
2006067610.tif 000002
【特許請求の範囲】
【請求項１】
無線遠隔端末（ＵＥ）が無線ローカルエリアネットワーク（ＷＬＡＮ）を通じてユニバーサル移動通信システム（ＵＭＴＳ）にアクセスする方法であって、
ａ）前記ＵＥが、ＷＬＡＮモードにある時に前記ＷＬＡＮに登録するステップと、
ｂ）前記ＷＬＡＮが、ＵＭＴＳサービスを監視する目的で前記ＵＥを前記ＵＭＴＳに登録するステップと、
ｃ）ステップ（ｂ）に応答して、前記ＵＭＴＳが、前記ＵＭＴＳに登録された前記ＵＥを対象とするＵＭＴＳメッセージを監視するステップと、
ｄ）前記ＵＭＴＳが、前記ＷＬＡＮにＵＭＴＳサービスを提供するステップと、
ｅ）前記ＷＬＡＮが、前記ＵＭＴＳサービスのフォーマットをＷＬＡＮメッセージフォーマットに変更し、前記フォーマットを変更したメッセージを前記ＵＥに渡すステップと、
を備えることを特徴とする方法。
【請求項２】
（ｆ）ステップ（ｂ）および（ｃ）を行うＵＭＴＳ送受信機を提供するステップと、
をさらに備えることを特徴とする請求項１に記載の方法。
【請求項３】
（ｆ）前記ＵＭＴＳサービスを受信し、前記ＵＭＴＳサービスのフォーマットをＷＬＡＮメッセージフォーマットに変更し、前記フォーマットを変更したメッセージを前記ＵＥへの送信のために前記ＷＬＡＮに渡す、前記ＷＬＡＮの一部であるフォーマット変換器を提供するステップと、
をさらに備えることを特徴とする請求項１に記載の方法。
【請求項４】
無線ローカルエリアネットワーク（ＷＬＡＮ）内で動作する無線遠隔端末（ＵＥ）がユニバーサル移動通信システム（ＵＭＴＳ）にアクセスするために使用する方法であって、
ａ）前記ＵＥが、ＷＬＡＮモードで前記ＷＬＡＮに登録するステップと、
ｂ）前記ＷＬＡＮが、前記登録メッセージのフォーマットをＵＭＴＳフォーマットに変更し、前記フォーマットを変更したメッセージを前記ＵＭＴＳに送信するステップと、
ｃ）前記ＵＭＴＳが、前記フォーマットが変更されたメッセージを受信するステップと、
ｄ）前記ＵＭＴＳが、前記ＷＬＡＮからの前記メッセージの完了を通知するステップと、
ｅ）前記ＷＬＡＮが、前記メッセージのフォーマットをＷＬＡＮメッセージフォーマットに変更し、前記メッセージを前記ＷＬＡＮモードで動作する前記ＵＥに送信するステップと、
を備えることを特徴とする方法。
【請求項５】
（ｆ）ステップ（ｅ）の機能を行うフォーマット変換器を提供するステップと、
をさらに備えることを特徴とする請求項４に記載の方法。
【請求項６】
（ｆ）ステップ（ｂ）および（ｃ）を行うＵＭＴＳ送受信機を提供するステップと、
をさらに備えることを特徴とする請求項４に記載の方法。
【請求項７】
無線遠隔端末（ＵＥ）が無線ローカルエリアネットワーク（ＷＬＡＮ）を通じてユニバーサル移動通信システム（ＵＭＴＳ）にアクセスする装置であって、
前記ＵＥは、前記ＷＬＡＮに登録する手段を有し、
前記ＷＬＡＮは、ＵＭＴＳサービスを監視するために前記ＵＥを前記ＵＭＴＳに登録する手段を有し、
前記ＵＭＴＳは、前記登録手段に応答して、前記ＵＭＴＳに登録された前記ＵＥを対象とするＵＭＴＳメッセージを監視する手段を含み、
前記ＵＭＴＳは、前記ＷＬＡＮにＵＭＴＳサービスを提供する手段を有し、
前記ＷＬＡＮは、前記ＵＭＴＳサービスのフォーマットをＷＬＡＮメッセージフォーマットに変更し、前記フォーマットを変更したメッセージを前記ＵＥに渡す手段を有することを特徴とする装置。
【請求項８】
（ｆ）前記ＵＭＴＳ登録手段は、無線送受信機を備えること、
をさらに含むことを特徴とする請求項１に記載の装置。
【請求項９】
前記変更する手段は、前記ＵＭＴＳサービスを受信し、前記ＵＭＴＳサービスのフォーマットをＷＬＡＮメッセージフォーマットに変更するフォーマット変換器を備え、前記フォーマット変換器は、前記フォーマットを変更したメッセージを前記ＵＥへの送信のために前記ＷＬＡＮに渡す手段を含むことを特徴とする請求項１に記載の装置。
【発明の詳細な説明】
【技術分野】
【０００１】
本発明は、無線通信に関する。より詳細には、本発明は、ＷＬＡＮとＵＭＴＳの相互運用（ｉｎｔｅｒｗｏｒｋｉｎｇ）を扱う。        
【背景技術】
【０００２】
無線ローカルエリアネットワーク（ＷＬＡＮ）環境で動作し、ＵＭＴＳへのアクセスを求めるユニバーサル移動通信システム（ＵＭＴＳ）の移動局（ＵＥ）などの加入者は、ＵＭＴＳシステムへのアクセスに相当のコストがかかるエリアでＵＭＴＳにアクセスする際に、大幅な費用の増加を被る可能性がある。
【発明の開示】
【発明が解決しようとする課題】
【０００３】
本発明は、そのような多大な費用負担することなくＵＭＴＳにアクセスするための、より低費用の代替方法を提供する。
【課題を解決するための手段】
【０００４】
本発明の複合システムは、ＷＬＡＮシステムの下位に位置するＵＭＴＳシステムを備えている。ＵＭＴＳは、ＷＬＡＮ環境で動作するＵＭＴＳ加入者のために、ＵＭＴＳ無線フロントエンドとして機能する送受信機を備える。ＵＭＴＳシステムとエンドユーザ（ＵＥ）間のインタフェースは、ＷＬＡＮインタフェースを通じて得られる。
【０００５】
ＷＬＡＮシステムは、あらかじめ登録したユーザへの受信されたＵＭＴＳメッセージおよび／またはトラフィックを、ＷＬＡＮ送信に適したフォーマットに変換し、そのメッセージおよび／またはトラフィックは、ＷＬＡＮ環境で動作するユーザに配信される。また、ＷＬＡＮは、送信されるメッセージおよびトラフィックフローをＵＭＴＳフォーマットに変換し、それが、ＷＬＡＮシステムをサポートするＵＭＴＳ送受信機を経由してＵＭＴＳシステムに送信される。ＷＬＡＮユーザは、変換装置を用いるＵＭＴＳエアインタフェースを通じてＵＭＴＳシステムへのアクセスを得る。
【０００６】
本発明は、添付の説明と図面を検討することから理解されるだろう。図面中、同様の要素は同様の参照符号で示す。
【発明を実施するための最良の形態】
【０００７】
図１に、ＵＭＴＳシステム１２とＷＬＡＮシステム１４間の相互接続を説明する際に有用な構成１０を示す。図１の構成は、遠隔の端末などの移動局がＷＬＡＮシステムからサービスを受ける際に、ＵＭＴＳを利用したサービスを配信する技術との関連で説明する。
【０００８】
図２、および図１を適宜参照すると、図２には図１と同様の構成が示される。
【０００９】
図を分かりやすくするために図には移動局２４を１つのみ示すが、複数のそのような移動端末がＷＬＡＮ１４のサービスを受けることは理解されよう。移動局遠隔端末（ＵＥ）２４は、ＷＬＡＮおよびＵＭＴＳと通信することが可能なデュアルモードの端末であってもよいが、本発明では、ＷＬＡＮ対応の端末２４が利用される。
【００１０】
ユーザ端末（ＵＥ）２４は、そのＷＬＡＮ機能２４ａを通じて、ステップＳ１においてＷＬＡＮ１４に登録する。ＷＬＡＮ１４は、ステップＳ２において、ＵＭＴＳ送受信機１８と通信して、ＵＭＴＳサービスを監視するためのユーザ識別（ＩＤ）を登録する。ＵＭＴＳ送受信機１８は、登録されたユーザの識別（ＩＤ）を宛先とするサービスのために同調される。ページメッセージ、ショートメッセージサービス（ＳＭＳ）、マルチメディアメッセージサービス（ＭＭＳ）などのＵＭＴＳサービスが配信される場合、ＵＭＴＳ１２は、ステップＳ３で、そのようなサービス、この例ではページメッセージを転送し、そのページメッセージは、ＵＭＴＳ送受信機１８に配信される。ステップＳ４において、ＵＭＴＳ送受信機１８は、ページメッセージを典型的には無線塔２６からＵＭＴＳエアインタフェース２８を通じて受信側の無線塔３０に、そしてフォーマット変換器１６に送信し、フォーマット変換器１６は、ステップＳ５において現在の（ＵＭＴＳ）フォーマットをＷＬＡＮメッセージフォーマットに変換し、ステップＳ６において、ＷＬＡＮメッセージフォーマットになったページメッセージをＷＬＡＮ１４に通信する。ＷＬＡＮ１４は、ステップＳ７において、ページメッセージを移動端末２４に配信する。ステップＳ８において、肯定応答が端末２４からＷＬＡＮ１４に中継され、この肯定応答は、ステップＳ９においてフォーマット変換器１６に転送され、そこからステップＳ１０においてＵＭＴＳ送受信機１８に、そしてステップＳ１１において最終的にＵＭＴＳ１２に転送される。
【００１１】
図３に、図２と同様の端末２４を示す。端末２４は、そのＷＬＡＮ機能２４ａを通じて、ステップＳ１においてＷＬＡＮ１４に登録する。ＷＬＡＮ１４は、ステップＳ２において、ユーザ登録をフォーマット変換器１６に転送し、フォーマット変換器１６は、ステップＳ３においてフォーマットをＵＭＴＳメッセージフォーマットに変更し、ステップＳ４において、対象とされるＵＭＴＳパッケージ交換（ＰＳ）ＵＭＴＳアタッチメントをＵＭＴＳ送受信機１８に提供する。ステップＳ５において、ＵＭＴＳ送受信機１８は、付加されたＵＭＴＳ  ＰＳをＵＭＴＳ１２に転送する。
【００１２】
ＰＳ付加完了メッセージは、ステップＳ６においてＵＭＴＳ１２からＵＭＴＳ送受信機１８に転送され、ステップＳ７においてＵＭＴＳ送受信機１８からフォーマット変換器１６に転送される。フォーマット変換器１６は、ステップＳ８においてＰＳ付加のフォーマットをＷＬＡＮメッセージフォーマットに変え、ステップＳ９においてメッセージをＷＬＡＮ１４に搬送し、ＷＬＡＮ１４は、ステップＳ１０においてメッセージを移動端末２４に提供する。ステップＳ１１において端末２４からＷＬＡＮ１４への肯定応答が、ステップ１２においてＷＬＡＮ１４からフォーマット変換器１６への肯定応答が、ステップＳ１３においてフォーマット変換器１６からＵＭＴＳ送受信機１８への肯定応答が、そして、ステップＳ１４においてＵＭＴＳ送受信機１８からＵＭＴＳ１２への肯定応答が行われ、それにより肯定応答が完了する
【図面の簡単な説明】
【００１３】
【図１】ＷＬＡＮシステムの下位に位置するＵＭＴＳシステムの図である。
【図２】本発明の装置および方法によるＷＬＡＮとＵＭＴＳの相互接続に利用されるメッセージを示す図である。
【図３】本発明の装置および方法によるＷＬＡＮとＵＭＴＳの相互接続に利用されるメッセージを示す図である。
【図１】
2006067610.tif 000003
【図２】
2006067610.tif 000004
【図３】
2006067610.tif 000005